(57)【要約】      （修正有）【課題】製造コストを低減できる表面実装デバイスの複合端子片を提供する。【解決手段】金属端子と、長尺形基材１００とを含む表面実装デバイスの複合端子片において、長尺形基材の長手方向には複数の退避孔１０１が設けられており、金属端子は、第１の金属端子２０１と第２の金属端子２０２とを含み、第１の金属端子の各々の一端は、いずれかの退避孔の幅端面上方の長尺形基材上に対応して固着され、他端は自由端であり、第２の金属端子の各々の一端は、いずれかの前記退避孔の幅端面下方の長尺形基材上に対応して固着され、他端は自由端である。実装後は不要となる長尺形基板は、紙やプラスチック等の安価な材料で構成される。【選択図】図２
0003188202.tif 000002
【実用新案登録請求の範囲】
【請求項１】
複数の金属端子を含む表面実装デバイスの複合端子片であって、前記金属端子よりもキロ当たり単価が低い長尺形基材（１００）をさらに含み、前記長尺形基材（１００）の長手方向には、大きさが等しい退避孔（１０１）が複数設けられており、前記退避孔（１０１）の長さは、前記長尺形基材（１００）の幅よりも小さく、前記金属端子は、第１の金属端子（２０１）と第２の金属端子（２０２）とを含み、前記第１の金属端子（２０１）の各々の一端は、いずれかの前記退避孔（１０１）の幅端面上方の長尺形基材（１００）上に対応して固着され、前記第１の金属端子（２０１）の他端は自由端であり、前記第２の金属端子（２０２）の各々の一端は、いずれかの前記退避孔（１０１）の幅端面下方の長尺形基材（１００）上に対応して固着され、前記第２の金属端子（２０２）の他端は自由端であることを特徴とする表面実装デバイスの複合端子片。
【請求項２】
前記第１の金属端子（２０１）と前記長尺形基材（１００）との結合面には位置決め孔（１０２）が設けられていることを特徴とする請求項１に記載の表面実装デバイスの複合端子片。
【請求項３】
前記第２の金属端子（２０２）と前記長尺形基材（１００）との結合面には位置決め孔（１０２）が設けられていることを特徴とする請求項１に記載の表面実装デバイスの複合端子片。
【請求項４】
第１の金属端子（２０１）及び第２の金属端子（２０２）は、銅金属端子であることを特徴とする請求項１に記載の表面実装デバイスの複合端子片。
【請求項５】
前記長尺形基材（１００）は、プラスチック片であることを特徴とする請求項１に記載の表面実装デバイスの複合端子片。
【請求項６】
前記長尺形基材（１００）は紙片であることを特徴とする請求項１に記載の表面実装デバイスの複合端子片。
【請求項７】
前記第１の金属端子（２０１）及び第２の金属端子（２０２）は同一鉛直中心線上に位置することを特徴とする請求項１に記載の表面実装デバイスの複合端子片。
【請求項８】
前記第１の金属端子（２０１）及び第２の金属端子（２０２）は同一鉛直中心線上に位置しないことを特徴とする請求項１に記載の表面実装デバイスの複合端子片。
【考案の詳細な説明】
【技術分野】
【０００１】
本考案は、表面実装デバイスの複合端子片に関するものである。
【背景技術】
【０００２】
電子部品には、プラグデバイスと表面実装デバイスとがある。このうち、表面実装デバイスは端子を含み、端子は、通常、そのパッケージハウジングの側部または底部に設けられている。端子は、電気接続特徴を有するため、金属片プラスで成形されることが一般的である。又、端子が切断され取り出されるまで、端子がプレスされた金属片に接続されたままであるため、金属片プレス成形された後、端子が切断され取り出されるまでの製品は、端子片と呼ばれる。図１に示すように、従来、表面実装デバイスの端子片は、上下対向に配置された第１の端子１１及び第２の端子１２が上方に複数プレス成形された金属片１０と、第１の端子１１及び第２の端子の周りに位置する退避孔とを含む。ここで、金属片１０は、銅金属、アルミニウム等の金属材料及び複合金属材料であってもよい。従来の表面実装デバイスの端子片のうち、第１の端子１１及び第２の端子１２のみが有用材料であり、その他の部分が不要な材料であり、第１の端子１１及び第２の端子１２が切断された後、大量の金属廃棄物が発生するため、端子の製造コストは向上する。
【考案の概要】
【考案が解決しようとする課題】
【０００３】
そこで、本考案は、表面実装デバイスの端子の製造コストを低減するための表面実装デバイスの複合端子片を提供することを目的とする。
【課題を解決するための手段】
【０００４】
上述の目的を達成するために、本考案は、複数の金属端子を含む表面実装デバイスの複合端子片であって、前記金属端子よりもキロ当たり単価が低い長尺形基材をさらに含み、前記長尺形基材の長手方向には、大きさが等しい退避孔が複数設けられており、前記退避孔の長さは、前記長尺形基材の幅よりも小さく、前記金属端子は、第１の金属端子と第２の金属端子とを含み、前記第１の金属端子の各々の一端は、いずれかの前記退避孔の幅端面上方の長尺形基材上に対応して固着され、前記第１の金属端子の他端は自由端であり、前記第２の金属端子の各々の一端は、いずれかの前記退避孔の幅端面下方の長尺形基材上に対応して固着され、前記第２の金属端子の他端は自由端であることを特徴とする表面実装デバイスの複合端子片を提供する。
【０００５】
また、前記第１の金属端子と前記長尺形基材との結合面には位置決め孔が設けられている。
【０００６】
また、前記第２の金属端子と前記長尺形基材との結合面には位置決め孔が設けられている。
【０００７】
また、第１の金属端子及び第２の金属端子は、銅金属端子である。
【０００８】
また、前記長尺形基材は、プラスチック片である。
【０００９】
また、前記長尺形基材は紙片である。
【００１０】
また、前記第１の金属端子及び第２の金属端子は同一鉛直中心線上に位置する。
【００１１】
また、前記第１の金属端子及び第２の金属端子は同一鉛直中心線上に位置しない。
【考案の効果】
【００１２】
従来の技術と比較すると、本考案に係る表面実装デバイスの端子片において、第１の金属端子と、第２の金属端子と、長尺形基材とから複合端子片が構成される。ここで、第１の金属端子及び第２の金属端子は、有用な材料であり、長尺形基材は、不要な材料である。長尺形基材には前記金属端子よりもキロ当たり単価が小さい材料、例えばプラスチック片、紙片等が用いられており、また、従来の表面実装デバイスの端子片に用いられる不要な材料が金属端子と同一の金属材料であるため、本考案に係る表面実装デバイスの複合端子片の製造コストはさらに低減されることになる。
【図面の簡単な説明】
【００１３】
【図１】従来の表面実装デバイスの端子片の構造模式図である。
【図２】本考案に係る表面実装デバイスの端子片の一実施例の構造模式図である。
【図３】本考案に係る表面実装デバイスの端子片の他の一実施例の構造模式図である。
【考案を実施するための形態】
【００１４】
本考案に係る表面実装デバイスの端子片について、図面を参照しながら説明する。
【００１５】
実施形態１：
図２に示すように、この実施形態に係る表面実装デバイスの複合端子片は、複数の金属端子と、前記金属端子よりもキロ当たり単価が低い長尺形基材１００とを含む。前記長尺形基材１００は、プラスチップ片であってもよく、紙片であってもよい。前記長尺形基材１００の長手方向には、大きさが等しい退避孔１０１が複数設けられており、前記退避孔１０１の長さは、前記長尺形基材１００の幅よりも小さい。前記金属端子は、第１の金属端子２０１と第２の金属端子２０２とを含み、前記第１の金属端子２０１の各々の一端は、いずれかの前記退避孔１０１の幅端面上方の長尺形基材１００上に対応して固着され、前記第１の金属端子２０１の他端は自由端であり、第２の金属端子２０２の各々の一端は、いずれかの前記退避孔１０１の幅端面下方の長尺形基材１００上に対応して固着され、前記第２の金属端子２０２の他端は自由端であり、前記第１の金属端子２０１及び第２の金属端子２０２は、同一鉛直中心線上に位置する。
【００１６】
実施形態２：
図３に示すように、この実施形態２は、実施形態１に基づいて変更されてなるものであり、実施形態１とは、前記第１の金属端子２０１と前記長尺形基材１００との結合面には位置決め孔１０２が設けられ、前記第２の金属端子２０２と前記長尺形基材１００との結合面には位置決め孔１０２が設けられている点で異なっている。位置決め孔１０２の設置は、位置決め孔１０２により複合端子片の位置を容易に移動することに利点がある。
【００１７】
前記実施形態１及び実施形態２において、第１の金属端子２０１及び第２の金属端子２０２は、銅金属端子、またはアルミニウム金属端子であってもよく、さらには複合金属端子であってもよい。
【００１８】
前記実施形態１及び実施形態２に係る表面実装デバイスの複合端子片には、第１の金属端子２０１と、第２の金属端子２０２と、長尺形基材１００とからなる複合材料から構成される端子片が用いられる。ここで、第１の金属端子２０１及び第２の金属端子２０２は、有用な材料であり、長尺形基材１００は、不要な材料である。長尺形基材１００には前記金属端子よりもキロ当たり単価が小さい材料、例えばプラスチック片、紙片等が用いられており、また、従来の表面実装デバイスの端子片に用いられる不要な材料が金属端子と同一の金属材料であるため、本考案に係る表面実装デバイスの複合端子片の製造コストはさらに低減されることになる。
【００１９】
本考案は、上述の実施形態に限定されるものではない。長尺形基材は、プラスチック片または紙片に限定されず、第１の金属端子２０１及び第２の金属端子２０２は、同一鉛直中心線上に設けられることに限定されるものではない。本考案の特許請求の精神及び範囲内になされた各種の変化は、本考案の技術範囲に入るものである。
【符号の説明】
【００２０】
１０  金属片
１００  長尺形基材
１０１  退避孔
１０２  位置決め孔
１１  第1の端子
１２  第2の端子
２０１  第1の金属端子
２０２  第2の金属端子
【図１】
0003188202.tif 000003
【図２】
0003188202.tif 000004
【図３】
0003188202.tif 000005